(57)【要約】      （修正有）【課題】カメラ機能の利用に特に適し、床面に置いた状態でカメラ機能を利用でき、また、広い領域の撮影に好適に用いることができる携帯用端末を提供する。【解決手段】湾曲した板状の本体部と、本体部と同程度に湾曲した板状の蓋部と、本体部と蓋部が重なるよう本体部と蓋部の長辺を繋いでそれらを開閉可能とする連結部と、を備え、前記蓋部の凸面には、蓋部の凸面の中心から互いに相反する位置に少なくとも２つの蓋部凸面カメラ３１１が設けられている。【選択図】図６
0003214574.tif 000002
【実用新案登録請求の範囲】
【請求項１】
湾曲した板状の本体部と、本体部と同程度に湾曲した板状の蓋部と、本体部と蓋部が重なるよう本体部と蓋部の長辺を繋いでそれらを開閉可能とする連結部と、
を備え、
前記蓋部の凸面には、蓋部の凸面の中心から互いに相反する位置に少なくとも２つのカメラが設けられていることを特徴とする、携帯用端末。
【請求項２】
前記連結部を軸として前記蓋部が回転可能であることを特徴とする、請求項１に記載の携帯用端末。
【請求項３】
さらに、前記蓋部の凹面には、前記蓋部の凹面の中心から互いに相反する位置に少なくとも２つのカメラが設けられていることを特徴とする、請求項１又は２に記載の携帯用端末。
【請求項４】
さらに、前記本体部の凸面には、前記本体部の凸面の中心から互いに相反する位置に少なくとも２つのカメラが設けられ、
前記本体部と前記蓋部が閉じた状態において、前記本体部の凸面側のカメラと、蓋部の凹面側のカメラとが接触しない位置に設けられていることを特徴とする、請求項３に記載の携帯用端末。
【請求項５】
さらに、前記本体部の凸面にはタッチパネルが設けられ、
前記蓋部の凹面にはタッチパネルが設けられていることを特徴とする、請求項１〜４の何れか１項に記載の携帯用端末。
【請求項６】
前記本体部及び前記蓋部の連結部が設けられている側と反対側に、凹部が形成されていることを特徴とする、請求項１〜５の何れか１項に記載の携帯用端末。
【請求項７】
さらに、前記本体部の側面には、カメラが設けられていることを特徴とする、請求項１〜６の何れか１項に記載の携帯用端末。
【考案の詳細な説明】
【技術分野】
【０００１】
本考案は携帯用端末に関する。
【背景技術】
【０００２】
スマートフォン等の携帯用端末は、その利用用途が着実に拡大してきている。ここで、近年のスマートフォン等の携帯用端末の利用用途としては、例えば、情報の収集、資料作成のためのデータ入力、ＳＮＳ等の情報通信、情報コンテンツの閲覧など利用を挙げることができる。そして近年、特定の利用用途に適合した構造又は形状をもったデザインの携帯用端末が提案されている。
【０００３】
特定の利用用途に適合した構造又は形状をもったデザインの携帯用端末としては、以下のものが知られている。
【０００４】
特許文献１、２及び非特許文献１には、湾曲した板状のスマートフォンが開示されている。
また、特許文献３には、略凹面部分に複数の入力キーが配置されているデータ入力デバイスが開示されている。
また、曲面を含む表示部を有し、前記曲面の中心角が２０°以上９０°未満である、表示装置が知られている（特許文献４）。
また、操作面の中央部が操作面の端部に比べて凹んだ曲面をなしている電子機器が知られている（特許文献５）。
また、特許文献６には、第１筐体と第２筐体とを、互いが重なる閉状態と該閉状態から見開き式に開けられた開状態とに開閉可能に連結する連結機構が開示されている。
【０００５】
ところで、近年、ストリートビュー等といった、定点に置いた撮影装置から広い領域を撮影した写真（パノラマ写真、３６０°写真等）が注目を集めている（非特許文献２）。
【先行技術文献】
【特許文献】
【０００６】
【特許文献１】実用新案登録第３１６７６７０号
【特許文献２】実用新案登録第３１８９１１５号
【特許文献３】特表２０１５−５２６８２８号公報
【特許文献４】特開２０１６−１１０１１７号公報
【特許文献５】国際公開第２０１３／１１８７６９号パンフレット
【特許文献６】特開２００７―１１０３４６号公報
【非特許文献】
【０００７】
【非特許文献１】「サムスン、ボディ全体が湾曲したスマホ「GALAXY ROUND」発表」、［ｏｎｌｉｎｅ］、２０１３年１０月０９日、株式会社マイナビ、［平成２９年１０月２５日検索］、インターネット〈ＵＲＬ：http://news.mynavi.jp/news/2013/10/09/323/〉
【非特許文献２】「ストリートビュー」、［ｏｎｌｉｎｅ］、Google Inc.、［平成２９年１０月２５日検索］、インターネット〈ＵＲＬ：https://www.google.co.jp/intl/ja/streetview/publish/〉
【考案の概要】
【考案が解決しようとする課題】
【０００８】
従来から、携帯用端末の形状に関し、情報の収集、資料作成のためのデータ入力、ＳＮＳ等の情報通信、情報コンテンツの閲覧のための形状デザインの工夫はされているものの、カメラ機能の利用に特化した形状の携帯用端末は提案されていなかった。
【０００９】
また、一般的なスマートフォンは、一枚の板状であり、片方の面にタッチパネルが設けられ、タッチパネルが設けられた面の反対面にカメラが設けられた構成である。そのため、一般的なスマートフォンは、カメラ機能を利用しようとした際には手で保持する必要があり、カメラ機能の利用に不向きな形状であった。
【００１０】
このような状況に鑑みなされた本考案は、カメラ機能の利用に特に適した形状の携帯用端末を提供することを課題とする。具体的には、本考案は、床面に置いた状態でカメラ機能を利用することのできる形状の携帯用端末を提供することを課題とする。また、本考案は、特に、広い領域の撮影に好適に用いることができる形状の携帯用端末を提供することを課題とする。また、本考案の好ましい形態では、床面に置いた状態で、撮影した写真の確認、操作を可能とする携帯用端末を提供することを課題とする。
【課題を解決するための手段】
【００１１】
上記課題を解決する本考案は、
湾曲した板状の本体部と、本体部と同程度に湾曲した板状の蓋部と、本体部と蓋部が重なるよう本体部と蓋部の長辺を繋いでそれらを開閉可能とする連結部と、
を備え、
前記蓋部の凸面には、蓋部の凸面の中心から互いに相反する位置に少なくとも２つのカメラが設けられていることを特徴とする、携帯用端末である。
【００１２】
本考案の携帯用端末は、少なくとも２つのカメラが湾曲した板状の蓋部の凸面に設けられており、少なくとも２つのカメラの向きが広角をなすため、広い領域の撮影に好適に用いることができる。また、本体部と蓋部が重なるよう本体部と蓋部の長辺を繋いでそれらを開閉可能とする連結部を備えるため、本体部を床面に置いた状態でカメラ機能を利用することができる。
【００１３】
また、本考案の携帯用端末は、前記連結部を軸として前記蓋部が回転可能であることであることが好ましい。
前記連結部を軸として前記蓋部が回転可能である携帯用端末によれば、床面に置いた状態で少なくとも２つのカメラが設けられた蓋部を回転させることができるため、撮影方向を容易に変更することができる。
【００１４】
また、本考案の携帯用端末は、さらに、前記蓋部の凹面には、前記蓋部の凹面の中心から互いに相反する位置に少なくとも２つのカメラが設けられていることが好ましい。
前記蓋部の凹面に前記蓋部の凹面の中心から互いに相反する位置に少なくとも２つのカメラが設けられている携帯用端末は、少なくとも２つのカメラの向きが挟角をなすため、狭い領域の撮影に好適に用いることができる。また、蓋部の凹面に前記蓋部の凹面の中心から互いに相反する位置に少なくとも２つのカメラが設けられている携帯用端末は、蓋部の両面にカメラが設けられている形態となるため、３６０°写真やパノラマ写真（広い範囲を撮影した写真）の撮影により適している。
【００１５】
また、本考案の携帯用端末は、前記蓋部の凹面に前記蓋部の凹面の中心から互いに相反する位置に少なくとも２つのカメラが設けられている場合に、さらに、前記本体部の凸面には、前記本体部の凸面の中心から互いに相反する位置に少なくとも２つのカメラが設けられ、
前記本体部と前記蓋部が閉じた状態において、前記本体部の凸面側のカメラと、蓋部の凹面側のカメラとが接触しない位置に設けられていることが好ましい。
このような形態の携帯用端末は、本体部を床面に置いた状態で、上方向と水平方向の撮影が可能であるため、３６０°写真やパノラマ写真（広い範囲を撮影した写真）の撮影により適している。
またこのような形態の携帯用端末は、少なくとも２つのカメラが湾曲した板状の本体部の凸面に設けられており、少なくとも２つのカメラの向きが広角をなすため、広い領域の撮影に好適に用いることができる。
また、前記本体部と前記蓋部が閉じた状態において、前記本体部の凸面側のカメラと、蓋部の凹面側のカメラとが接触しない位置に設けられていることで、カメラに閉じたときにカメラが傷つかない。
【００１６】
また、本考案の携帯用端末は、さらに、前記本体部の凸面にはタッチパネルが設けられ、
前記蓋部の凹面にはタッチパネルが設けられていることが好ましい。
前記本体部の凸面にタッチパネルが設けられ、前記蓋部の凹面にタッチパネルが設けられていることで、床面に置いた状態で、写真撮影の設定及び撮影した画像の確認を簡便にすることができる。
【００１７】
また、本考案の携帯用端末は、前記本体部及び前記蓋部の連結部が設けられている側と反対側に、凹部が形成されていることが好ましい。
前記本体部及び前記蓋部の連結部が設けられている側と反対側に、凹部が形成されている携帯用端末は、把持しやすい。
【００１８】
また、本考案の携帯用端末は、さらに、前記本体部の側面には、カメラが設けられていることが好ましい。
前記本体部の側面にカメラが設けられている携帯用端末は、３６０°写真やパノラマ写真（広い範囲を撮影した写真）の撮影により適している。
【考案の効果】
【００１９】
本考案によれば、カメラ機能の利用に特に適した形状の携帯用端末を提供することができる。具体的には、本考案は、床面に置いた状態でカメラ機能を利用することのできる形状の携帯用端末を提供することができる。また、本考案によれば、特に、少なくとも２つのカメラの向きが広角をなすため、広い領域の撮影に好適に用いることができる携帯用端末を提供することができる。また、本考案の好ましい形態によれば、床面に置いた状態で、写真撮影の設定及び撮影した画像の確認を簡便にすることができる。
【図面の簡単な説明】
【００２０】
【図１】実施例のスマートフォンの開状態における、斜視（ａ）、平面（ｂ）を示す図である。
【図２】実施例のスマートフォンの開状態における、正面（ｃ）、右側面（ｄ）、を示す図である。
【図３】実施例のスマートフォンを閉状態における、斜視（ｅ）、平面（ｆ）、を示す図である。
【図４】実施例のスマートフォンを閉状態における、正面（ｇ）、右側面（ｈ）、底面（ｉ）、を示す図である。
【図５】実施例のスマートフォンが備える連結部の、連結部を軸として前記蓋部が回転可能であることを示す図である。
【図６】実施例のスマートフォンの、床面に置いた状態での、撮影可能領域を示す参考図である。
【図７】実施例のスマートフォンと一般的なスマートフォンの、撮影可能領域を示す参考比較図である。
【考案を実施するための形態】
【００２１】
以下、本考案をスマートフォン１に適用した実施例について説明するが、本考案の技術的範囲は実施例に限定されないことは言うまでもない。
【００２２】
本実施例のスマートフォン１は、湾曲した板状の本体部２と、本体部２と同程度に湾曲した板状の蓋部３と、本体部２と蓋部３が重なるよう本体部２と蓋部３の長辺を繋いでそれらを開閉可能とする連結部４と、を備える（図１〜図４  参照）。
【００２３】
以下、本実施例のスマートフォン１の湾曲した板状の本体部２の全体形状及び、本体部２と同程度に湾曲した板状の蓋部３の全体形状について図１〜５を用いて説明する。
【００２４】
本体部２の湾曲は、本体部２凸面の中心付近を膨らみの頂点として全体的に湾曲していることをいう。ただし、本体部２の湾曲は必ずしも一定の曲率である必要はない。
【００２５】
また、蓋部３の湾曲は、必ずしも本体部２の湾曲と同一である必要はなく、スマートフォン１を正面視（図４（ｇ）  参照）又は、側面視（図４（ｈ）参照）したときに、同方向に湾曲していることで足りる。なお、蓋部３の湾曲は、本体部２の湾曲と略一致していることが好ましい。
【００２６】
図３（ｆ）に示すように、本実施例において本体部２及び蓋部３は、平面視したときに、略楕円形に成形されている。本体部２及び蓋部３が略楕円形であることで、把持しやすい。
ただし、該本体部２及び蓋部３を平面視したときの形状に特に制限はなく、略正方形、略長方形、略台形、菱型等の略四角形、略三角形、略円形等の何れであってもよい。
【００２７】
以下連結部４について、図１〜６を用いて説明する。
【００２８】
本実施例において、連結部４は本体部２と蓋部３が重なるよう本体部２と蓋部３の長辺を繋いでそれらを開閉可能とする。本体部２と蓋部３が重なるよう本体部２と蓋部３の長辺を繋いでそれらを開閉可能とする連結部４を備えることで、カメラの設けられた蓋部３を開くことができるため、本体部２を床面に置いた状態でカメラ機能を利用することができる（図６  参照）。
【００２９】
ここで、連結部４は本体部２の凸面と蓋部３の凹面が重なるよう本体部２と蓋部３の長辺を繋いでそれらを開閉可能とする形態であることがより好ましい。連結部４は本体部２の凸面と蓋部３の凹面が重なるよう本体部２と蓋部３の長辺を繋いでそれらを開閉可能とする形態とすることで、本体部２を床面に置いたときにより安定するため、より好適にカメラ機能を利用することができる。
【００３０】
また、図５に示すように、本実施例のスマートフォン１は、連結部４を軸として前記蓋部３が回転可能である。連結部４を軸として蓋部３が回転可能であることで、本体部２を床面に置いた状態で、カメラの方向を変更することができる。
本体部２と蓋部３が重なるよう本体部２と蓋部３の長辺を繋いでそれらを開閉可能とし、かつ連結部４を軸として前記蓋部３が回転可能とする連結部４としては、例えば、２軸トルクヒンジを好適に挙げることができる。
【００３１】
以下、本実施例のスマートフォン１の湾曲した板状の本体部２に設けられた本体部カメラ２１及び、本体部２と同程度に湾曲した板状の蓋部３に設けられた蓋部カメラ３１について図１〜７を用いて説明する。
【００３２】
図３（ｆ）に示すように蓋部３の凸面には、蓋部３の凸面の中心から互いに相反する位置に少なくとも２つの蓋部凸面カメラ３１１が設けられている。湾曲した板状の蓋部３の凸面の中心から互いに相反する位置に少なくとも２つの蓋部凸面カメラ３１１が設けられていることで、少なくとも２つのカメラの向きが広角をなすため、広い領域の撮影に好適に用いることができる。
【００３３】
ここで、蓋部３の凸面に設けられている少なくとも２つの蓋部凸面カメラ３１１は、蓋部３の凸面の外縁周縁に設けられていることがより好ましい（図３（ｆ）  参照）。蓋部３の凸面の外縁周縁に蓋部凸面カメラ３１１が設けられている形態であるスマートフォン１は、少なくとも２つのカメラの向きがより広角をなすため、より広い領域の撮影に好適に用いることができる（図６、図７  参照）。
【００３４】
また、本実施例において、蓋部３の凹面には、前記蓋部３の凹面の中心から互いに相反する位置に少なくとも２つの蓋部凹面カメラ３１２が設けられている（図１）。蓋部３の凹面の中心から互いに相反する位置に少なくとも２つの蓋部凹面カメラ３１２が設けられているスマートフォン１は、少なくとも２つのカメラの向きが挟角をなすため、狭い領域の撮影に好適に用いることができる。また、蓋部３の凹面の中心から互いに相反する位置に少なくとも２つの蓋部凹面カメラ３１２が設けられているスマートフォン１は、蓋部の両面にカメラが設けられている形態であるため、３６０°写真やパノラマ写真（広い範囲を撮影した写真）の撮影により適している。
【００３５】
ここで、蓋部３の凹面に設けられている少なくとも２つの蓋部凹面カメラ３１２は、蓋部３の凹面の外縁周縁に設けられていることがより好ましい（図１（ａ）  参照）。蓋部３の凹面の外縁周縁に蓋部凹面カメラ３１２が設けられている形態であるスマートフォン１は、少なくとも２つのカメラの向きがより挟角をなすため、より狭い領域の撮影に好適に用いることができる。蓋部３の凹面の外縁周縁に蓋部凹面カメラ３１２が設けられている形態であるスマートフォン１は、３６０°写真やパノラマ写真（広い範囲を撮影した写真）の撮影により適している。
【００３６】
また、本実施例において、本体部２の凸面には、さらに、本体部２の凸面の中心から互いに相反する位置に少なくとも２つの本体部凸面カメラ２１１が設けられている（図１（ａ））。本体部２の凸面の中心から互いに相反する位置に少なくとも２つの本体部凸面カメラ２１１が設けられている形態であるスマートフォン１は、本体部２を床面に置いた状態で、上方向と水平方向の撮影が可能であるため、３６０°写真やパノラマ写真（広い範囲を撮影した写真）の撮影により適している。またこのような形態のスマートフォンは、少なくとも２つの本体部凸面カメラ２１１の向きが広角をなすため、広い領域の撮影に好適に用いることができる。
【００３７】
ここで、本体部２の凸面に設けられている少なくとも２つの本体部凸面カメラ２１１は、本体部２の凸面の外縁周縁に設けられていることがより好ましい（図１（ａ）  参照）。本体部２の凸面の外縁周縁に本体部凸面カメラ２１１が設けられている形態であるスマートフォン１は、本体部２を床面に置いた状態で、上方向と水平方向の撮影が可能であるため、３６０°写真やパノラマ写真（広い範囲を撮影した写真）の撮影により適している。またこのような形態のスマートフォンは、少なくとも２つの本体部凸面カメラ２１１の向きがより広角をなすため、より広い領域の撮影に好適に用いることができる。
【００３８】
ここで、蓋部３の凹面の外縁周縁に蓋部凹面カメラ３１２が設けられている形態である場合かつ、本体部２の凸面に、さらに、本体部２の凸面の中心から互いに相反する位置に少なくとも２つの本体部凸面カメラ２１１が設けられている形態である場合には、本体部２と前記蓋部３が閉じた状態において、前記本体部２の凸面側の本体部凸面カメラ２１１と、蓋部３の凹面側の蓋部凹面カメラ３１２とが接触しない位置に設けられていることがより好ましい。このような形態とすることで、本体部２と前記蓋部３が閉じた状態において、カメラが互いに接触しないため、よりカメラ機能の利用に適している。
【００３９】
また、本実施例において、本体部２の凹面には、さらに、本体部２の凹面の中心から互いに相反する位置に少なくとも２つの本体部凹面カメラ２１２が設けられている（図４（ｉ））。本体部２の凹面の中心から互いに相反する位置に少なくとも２つの本体部凹面カメラ２１２が設けられている形態であるスマートフォン１は、３６０°写真やパノラマ写真（広い範囲を撮影した写真）の撮影により適している。
【００４０】
ここで、本体部２の凹面に設けられている少なくとも２つの本体部凹面カメラ２１２は、本体部２の凹面の外縁周縁に設けられていることがより好ましい（図４（ｉ）  参照）。本体部２の凹面の外縁周縁に本体部凹面カメラ２１２が設けられている形態であるスマートフォン１は、より広い領域の撮影に好適に用いることができる。
【００４１】
本実施例において、本体部２の側面には、側面カメラ２１３が設けられている（図１（ａ）、図２（ｃ））。本体部２の側面に側面カメラ２１３が設けられている形態であるスマートフォン１は、３６０°写真やパノラマ写真（広い範囲を撮影した写真）の撮影により適している。
【００４２】
また、本実施例において、
蓋部３には、前述した位置に、少なくとも２つの蓋部凸面カメラ３１１と、少なくとも２つの蓋部凹面カメラ３１２とが設けられ、
本体部２には、前述した位置に、少なくとも２つの本体部凸面カメラ２１１、少なくとも２つの本体部凹面カメラ２１２、及び少なくとも２つの側面カメラ２１３が設けられている。
以上の形態であるスマートフォン１は、地面に置いた状態で、多方向に向いたカメラを備える形態となるため、３６０°写真やパノラマ写真（広い範囲を撮影した写真）の撮影に特に適している。
【００４３】
以下、本実施例のスマートフォン１の湾曲した板状の本体部２に設けられた本体部タッチパネル２２及び、本体部２と同程度に湾曲した板状の蓋部３に設けられた蓋部タッチパネル３２について図１〜６を用いて説明する。
【００４４】
また、本実施例において、本体部２の凸面には、本体部凸面タッチパネル２２１が設けられている。このような構成とすることで、本体部２を床面に置いた状態で、写真撮影の設定及び撮影した画像の確認を簡便にすることができる。
【００４５】
また、本実施例において、蓋部３の凹面には、蓋部凹面タッチパネル３２１が設けられている。蓋部３の凹面に蓋部凹面タッチパネル３２１が設けられていることで、床面にスマートフォン１を置いた状態で、写真撮影の設定及び撮影した画像の確認を簡便にすることができる。
【００４６】
また、本実施例において、本体部２の凹面にも、本体部凹面タッチパネル２２２が設けられている。本体部２の凹面に本体部凹面タッチパネル２２２が設けられていることで、スマートフォン１が閉状態であるときに、一般的な一枚の板状からなるスマートフォンと同様に、操作をすることができる。
【００４７】
ここで、本体部凹面タッチパネル２２２は、スマートフォン１を床面に置いたときの接地面以外に設けられていることがさらに好ましい。このような形態であることで、本体部２を床面に置いたときに、本体部凹面タッチパネル２２２が傷つかない。
【００４８】
また、連結部４は本体部２の凸面と蓋部３の凹面が重なるよう本体部２と蓋部３の長辺を繋いでそれらを開閉可能とする形態である場合には、本体部凹面タッチパネル２２２は、本体部凹面の外周以外の部分に設けられていることが好ましい。このような形態であることで、本体部２を床面に置いたときに、本体部凹面タッチパネル２２２が接地しないため、本体部凹面タッチパネル２２２が傷つかない。
【００４９】
また、本実施例において、蓋部３の凸面には、蓋部ディスプレイ３５が設けられている。蓋部３の凸面に蓋部ディスプレイ３５が設けられていることで、スマートフォン１が閉状態であるときにも、コンテンツの閲覧をすることができる。
【００５０】
以下、本実施例のスマートフォン１に設けられた凹部について図１〜５を用いて説明する。
【００５１】
本実施例のスマートフォン１は、本体部２には連結部４が設けられている側と反対側に、本体凹部２３が形成されている。
また、本実施例のスマートフォン１は、蓋部３の連結部４が設けられている側と反対側に、蓋凹部３３が形成されている。本体部２又は蓋部３に、連結部４が設けられている側と反対側に、凹部が形成されているスマートフォン１は、より把持しやすい。
【００５２】
ここで、前記凹部のへこみの程度は、使用者が凹部に指を添えたときに、使用者が指で凹部を認識することのできる程度であればよい。
また、前記凹部の幅は、好ましくは一本以上の指が、より好ましくは三本以上の指が収まる大きさであることが好ましい。
【００５３】
以下、本実施例のスマートフォン１の湾曲した板状の本体部２に設けられた本体部オプションスイッチ２４及び、本体部２と同程度に湾曲した板状の蓋部３に設けられた蓋部オプションスイッチ３４について図１〜４を用いて説明する。
【００５４】
本実施例において、本体部オプションスイッチ２４は、本体部２の側面に設けられている。
本実施例において、蓋部オプションスイッチ３４は、蓋部３の凸面に設けられている。
ここで、オプションスイッチとは、スマートフォン等の電子機器に通常設けられることのあるスイッチであって、例えばカメラのシャッターボタン、電源、操作ボタンなどのスイッチをいう。
【００５５】
本体部２若しくは蓋部３に本体部オプションスイッチ２４及び／又は蓋部オプションスイッチ３４が設けられていることで、より簡便にスマートフォン１の操作をすることができる。また、オプションスイッチがカメラのシャッターボタンである場合には、より簡便にカメラ機能を利用することができる。また、オプションスイッチがカメラのシャッターボタンである場合には、本体部２若しくは蓋部３にオプションスイッチが設けられていることで、緊急の際に容易にカメラ機能の利用をすることができる。
【産業上の利用可能性】
【００５６】
本考案は、スマートフォンに応用することができる。
【符号の説明】
【００５７】
１    スマートフォン
２    本体部
２１    本体部カメラ
２１１  本体部凸面カメラ
２１２  本体部凹面カメラ
２１３  側面カメラ
２２    本体部タッチパネル
２２１  本体部凸面タッチパネル
２２２  本体部凹面タッチパネル
２３    本体凹部
２４    本体部オプションスイッチ
３      蓋部
３１    蓋部カメラ
３１１  蓋部凸面カメラ
３１２  蓋部凹面カメラ
３２    蓋部タッチパネル
３２１  蓋部凹面タッチパネル
３３    蓋凹部
３４    蓋部オプションスイッチ
３５    蓋部ディスプレイ
４      連結部
Ｘ      従来のスマートフォン
【図１】
0003214574.tif 000003
【図２】
0003214574.tif 000004
【図３】
0003214574.tif 000005
【図４】
0003214574.tif 000006
【図５】
0003214574.tif 000007
【図６】
0003214574.tif 000008
【図７】
0003214574.tif 000009